(57)【要約】【解決課題】光励起反応を利用して得られた水素を負極活物質として活用する光水素化二次電池において、水素が酸素と反応して水に戻る逆反応を確実に抑制しつつ、かつ、可視光に基づく充電を可能にした光水素化二次電池を提供する。【解決手段】本発明の光水素化二次電池は、正極と、前記正極用の第１の光触媒と、水素を吸蔵可能な導電体からなる負極と、前記負極用の第２の光触媒と、前記正極と負極とに接し、レドックスを含有する水溶液からなる電解質と、前記電解質を前記正極側と負極側とに分離し、充電時に前記正極側で発生した酸素の透過を抑制しつつ、前記レドックスとイオンを透過させるセパレータと、前記第１の光触媒及び前記第２の光触媒に対して可視光を通過させるための手段と、を備え、前記第１の光触媒層及び第２の光触媒層は夫々、前記可視光に基づく光励起反応を可能にする光触媒材料から構成されている。【選択図】図１
2014116212.tif 000002
【特許請求の範囲】
【請求項１】
正極と、
前記正極用の第１の光触媒と、
水素を吸蔵可能な導電体からなる負極と、
前記負極用の第２の光触媒と、
前記正極と負極とに接し、レドックスを含有する水溶液からなる電解質と、
前記電解質を前記正極側と負極側とに分離し、充電時に前記正極側で発生した酸素の透過を抑制しつつ、前記レドックスとイオンを透過させるセパレータと、
前記第１の光触媒及び前記第２の光触媒に対して可視光、近赤外光を通過させるための手段と、
を備え、
前記第１の光触媒層及び第２の光触媒層は夫々、前記可視光に基づく光励起反応を可能にする光触媒材料から構成されている、
光水素化二次電池。
【請求項２】
前記セパレータによって画成された前記正極側領域に設けられた大気に連通する開口部と、
前記開口部から前記電解質の漏洩を防止する手段と、
をさらに備える、
請求項１記載の光水素化二次電池。
【請求項３】
前記第１の光触媒は、伝導帯の下端が前記電解質のレドックス電位以上であり、価電子帯の上端がＯ2／Ｈ2Ｏの酸化還元電位よりも低く、可視光応答する材料から構成され、
前記第２の光触媒は、伝導帯の下端がH＋／H2の酸化還元電位以上かつ水素ガスの生成電位以下であり、価電子帯の上端が電解質のレドックス電位以下であり、可視光応答する材料から構成されている、
請求項１又は２記載の光水素化二次電池。
【請求項４】
前記負極が水素を吸蔵可能な導電体から構成され、
さらに、前記第１の光触媒の光励起反応に基づく正孔が前記電解質の水を酸化することによって生じた水素イオンを前記負極に伝導するためのプロトン伝導体が前記負極に接合されている、
請求項１乃至３の何れか１項記載の光水素化二次電池。
【請求項５】
前記プロトン伝導体と前記第２の光触媒によって前記負極が前記電解質に対して密閉されている、請求項４記載の光水素化二次電池。
【請求項６】
陰イオンのレドックスを使用し、
水素ガスの生成電位以下かつH+/H2の酸化還元電位以上の伝導体を持つ前記第２の光触媒を前記負極に接合することにより、高い平衡水素圧を実現し、
暗時でも水素吸蔵合金内に水素を保持する、
請求項５記載の光水素化二次電池。
【発明の詳細な説明】
【技術分野】
【０００１】
本発明は、光触媒の光励起反応に基づく酸化還元反応を利用して、負極への水素の吸蔵と負極からの水素の放出とを繰り返すことにより、充放電が可能な光水素化二次電池に関するものである。
【背景技術】
【０００２】
太陽エネルギーを蓄える技術として、太陽電池と蓄電池をセットにした電池システムが実用化している。このシステムにおいて充電を行う場合、太陽光→電気→電気化学という３段階のエネルギー変換が行われ、電圧調整回路や逆流防止ダイオードなどがシステムに必要となる。
【０００３】
これに対して、光水素化二次電池では、太陽光→電気化学という２段階ステップでの充電が可能となり、充電器による充電や水素燃料の補給を必要としない。
【０００４】
この種の光水素化二次電池として、例えば、特開昭５４−１１４５０号公報に記載された酸素−水素燃料電池が存在する。この電池は、ｎ型半導体電極と、酸素ガス拡散電極と、これら一対の電極に切り替え接続される水素吸蔵金属よりなる水素極と、電解液とを備え、前記ｎ型半導体電極に光照射し、その光照射による水分解反応で生成する水素を前記水素極に吸蔵させて充電を行い、暗時前記水素極を前記酸素ガス拡散電極に切換接続して放電出力を得ることを特徴としている。
【０００５】
この電池では、ｎ型半導体と水素極をつないでいる状態にし、受光部に光を照射することにより、ｎ型半導体電極で酸化還元反応が起こり、水を水素と酸素に分解して水素イオンと酸素が生成するようにしている。
【０００６】
Mを任意の水素吸蔵合金とすると、充電反応は
n型半導体（光照射）→2p+ （正孔）+2e- （電子）
2p++H2O→(1/2)O2+2H+
M+xH++xe-→MHx
となり、放電反応は
MHx→M+xH++xe-
(1/2)O2+2H++2e-→H2O
となる。
【０００７】
しかしながら、この二次電池では、ｎ型半導体電極で生成した酸素が水素極の表面に存在する水素に到達し、水素が水に戻る逆反応が起こり、充電が困難になるという問題があった。
【０００８】
そこで、特開平９−２５９９４２号公報に係る光水素気二次電池は、酸素透過防止膜でｎ型半導体電極と水素極とを分離して、ｎ型半導体電極で生成した酸素が水素極に行かないようにして、水素が水に戻る逆反応を抑制するようにしている。
【０００９】
また、前記特許公報において、ｎ型半導体としては、二酸化チタン等が挙げられているが、バンドギャップが広いため、紫外線光しか酸化還元反応に利用することができない。太陽光エネルギーを十分に利用する手法の一つとして、特開２００２−２５５５０２号公報に係る水分解システムでは、バンドギャップが二酸化チタン等より狭い光触媒を２種類用意し、２段階の光励起反応によって、可視光を効率良く利用し、水分解反応を促進するシステムを提案している。
【００１０】
さらに、負極の水素吸蔵合金が大気に開放されている場合、水素吸蔵合金の平衡水素圧が１気圧以下の材料しか用いることができないが、特開２０００−１７３６７９では、負極の水素吸蔵合金をプロトン伝導体の密閉構造にし、負極が水素ガスをプロトン化することのできる触媒を含有することにより、平衡水素圧が１気圧以上の水素吸蔵合金が利用できることを提案している。
【先行技術文献】
【特許文献】
【００１１】
【特許文献１】特開昭５４−１１４５０号公報
【特許文献２】特開平９−２５９９４２号公報
【特許文献３】特開２００２−２５５５０２号公報
【特許文献４】特開２０００−１７３６７９号公報
【発明の概要】
【発明が解決しようとする課題】
【００１２】
１種類のn型半導体を用いて水分解を行う場合、ｎ型半導体電極の表面の近傍に酸素と水素イオンが生成すると、反応の過程で、水素イオンが酸素と再結合して水に戻る逆反応が発生し、太陽光エネルギー変換効率を下げるため、電池の充電効率が低下する。
【００１３】
伝導帯の下端と価電子帯の上端がそれぞれ水素および酸素の発生に適当なレベルにあって、さらに安定であるという触媒の必要条件を満たすものは、二酸化チタン以外、ほとんど見出されていない。このため、ｎ型半導体として、二酸化チタン等のようにバンドギャップが大きい光触媒材料を利用する必要があるため、太陽光エネルギーを十分に利用できずに発電効率が悪い電池となっていた。
【００１４】
また、水素側極を密閉構造にし、水素極に水素ガスをプロトン化することのできる触媒を含有することより、平衡水素圧が１気圧以上の水素吸蔵合金の合金を使えることになるが、１気圧以上の平衡水素圧を実現しても、水素ガスが生成して負極から乖離した場合、内圧が上昇するため、電池の破損や劣化につながる。
【００１５】
そこで、本発明は、光励起反応を利用して得られた水素を負極活物質として活用する光水素化二次電池において、水素が酸素と反応して水に戻る逆反応を抑制しつつ、かつ、可視光に基づく充電を可能にし、負極で水素ガス生成を抑制しつつ１気圧以上の平衡水素圧を保持し、水素吸蔵量を増加させた光水素化二次電池を提供することを目的とするものである。
【課題を解決するための手段】
【００１６】
前記目的を達成するために、本発明は、光水素化二次電池において、正極と負極の夫々に光触媒を設けて、負極に吸蔵される水素を発生させるための光励起反応の反応場を正極と負極の二つに分けることにより水素が酸素と反応して水に戻る逆反応を防止するとともに、バンドギャップが夫々小さい光触媒の利用により、可視光、近赤外光による光励起反応を高め、負極に吸蔵される水素の発生効率を高めるようにしたことを特徴とするものである。
【００１７】
即ち、本発明の第１は、正極と、前記正極用の第１の光触媒と、水素を吸蔵可能な導電体からなる負極と、前記負極用の第２の光触媒と、前記正極と負極とに接し、レドックスを含有する水溶液からなる電解質と、前記電解質を前記正極側と負極側とに分離し、充電時に前記正極側で発生した酸素の透過を抑制しつつ、前記レドックスとイオンを透過させるセパレータと、前記第１の光触媒及び前記第２の光触媒に対して可視光を通過させるための手段と、を備え、前記第１の光触媒層及び第２の光触媒層は夫々、前記可視光に基づく光励起反応を可能にする光触媒材料から構成されている、ことを特徴とする光水素化二次電池である。
【００１８】
正極側の光触媒と電極が電解質と空気に接触できるものであれば、構造が限定されるものではないが、本発明の好適な態様では、前記光二次電池は、前記セパレータによって画成された前記正極側領域に設けられた大気に連通する開口部と、前記開口部から前記電解質の漏洩を防止する手段と、をさらに備えることが好ましい。
【００１９】
また、前記第１の光触媒は、伝導帯の下端が前記電解質のレドックス電位以上であり、価電子帯の上端がＯ2／Ｈ2Ｏの酸化還元電位よりも低く、可視光応答する材料から構成され、前記第２の光触媒は、伝導帯の下端がH＋／H2の酸化還元電位以上かつ水素ガスの生成電位以下（水の理論電解エネルギーは約１．２３eVだが、過電圧を含めた水の電解エネルギーは１．５〜２．０eV程度）であり、価電子帯の上端が電解質のレドックス電位以下であり、可視光応答する材料から構成されている、ことが好ましい。
【００２０】
またさらに、前記負極が水素を吸蔵可能な導電体から構成され、さらに、前記第１の光触媒の光励起反応に基づく正孔が前記電解質の水を酸化することによって生じた水素イオンを前記負極に伝導するためのプロトン伝導体が前記負極に接合されている、ことが好ましい。
【００２１】
また、前記プロトン伝導体よって前記負極が前記電解質に対して密閉されていることが好ましい。
【００２２】
さらに、前記第１の光触媒に、還元触媒として作用する白金等の微粒子が担持されていることが好ましい。
【発明の効果】
【００２３】
本発明によれば、光励起反応を利用して得られた水素を負極活物質として活用する光水素化二次電池において、水素が酸素と反応して水に戻る逆反応を抑制しつつ、かつ、可視光に基づく充電を可能にした水素化二次電池を提供することができる。
【図面の簡単な説明】
【００２４】
【図１】図１は光水素化二次電池の断面方向の構造を示した図である。
【図２】図２は水素側光触媒を含んだプロトン伝導体構造例を示した図である。
【発明を実施するための形態】
【００２５】
本発明に係る光水素化二次電池の実施形態の構造について説明する。図１は光水素化二次電池の断面方向の構造を示した図である。符号２は電池ケースの平面、符号２０，２２は電池ケースの側面、符号６は電池ケースの底面を示す。即ち、平面２、側面２０，２２、そして、底面６によって、平面方向から底面方向に見て矩形の電池ケースが構成される。
【００２６】
電池ケースの平面２は可視光１を透過可能な受光部を備えている。平面２、側面２０，２２と底面６は遮光性の金属又は樹脂によって構成されている。具体的には、ＡＢＳ樹脂やフッ素樹脂等の電解質に侵されない材質のものであればよい。平面２の受光部は、ガラス、石英ガラス、アクリル、スチロール等の可視光を透過する透明板や透明フィルム等で構成される。電池ケース全体をこれらの部材で構成してもよい。
【００２７】
電池ケースは、電池内環境を電池外環境から遮るためのものであるが、例として、底面６の正極領域には複数の開口部（空気穴）１０が形成されたものでもよい。酸素の放出、取り込みのできる構造であれば、任意のものでよい。
【００２８】
電池内環境はセパレータ１１によって正極領域と負極領域に分けられている。正極領域において、平面２の直下には正極用光触媒層７（第１の光触媒）が形成され、正極用光触媒層７の下方には上部が正極用光触媒層７に密着する正極層８が存在する。
【００２９】
一方、負極領域において、平面２の直下には、負極用光触媒層３（第２の光触媒を含む）が形成され、さらに、負極用光触媒層３に密着するように負極層４（水素吸蔵金属）が電池下方に形成されている。符号１２は、負極層３を囲むプロトン伝導体を示す。
【００３０】
正極８はニッケル、カーボン等の導電材料であればよく、酸素還元触媒（例えば、Ｐｔ、ＭｎＯ２、ペロブスカイト型酸化物）を含有する触媒層を有する一般的な空気極を使用することができる。更に、Pt、Pd、Ir、Rh、Os、Ru、Pt-Co、Pt-Au、Pt-Sn、Pd-Au、Ru-Ta、Ag-C、Ni-P、Ag-Ni-P、ラネーニッケル、Ni-Mn、Ni-酸化コバルト、Cu-Ag、Cu-Au、ラネー銀等の貴金属及び合金、ホウ化ニッケル、ホウ化コバルト、炭化タングステン、水酸化チタン、リン化タングステン、リン化ニオブ、遷移金属の炭化物、スピネル化合物、酸化銀、酸化タングステン、遷移金属のペロブスカイト型イオン結晶等の無機化合物、及び、バクテリア、非イオン活性剤、フロタシアニン、金属フロタシアニン、活性炭、キノン類等の有機化合物のいずれかで構成されることが望ましい。
【００３１】
一方、負極４は、水素吸蔵可能な導電体、公知の水素吸蔵合金から構成される。例えば、Ｌａ−Ｎｉ系合金、Ｌａ−Ｎｄ−Ｎｉ系合金、Ｌａ−Ｇｄ−Ｎｉ系合金、Ｌａ−Ｙ−Ｎｉ系合金、Ｌａ−Ｃｏ−Ｎｉ系合金、Ｌａ−Ｃｅ−Ｎｉ系合金、Ｌａ−Ｎｉ−Ａｇ系合金、Ｌａ−Ｎｉ−Ｆｅ系合金、Ｌａ−Ｎｉ−Ｃｒ系合金、Ｌａ−Ｎｉ−Ｐｄ系合金、Ｌａ−Ｎｉ−Ｃｕ系合金、Ｌａ−Ｎｉ−Ａｌ系合金、Ｌａ−Ｎｉ−Ｍｎ系合金、Ｌａ−Ｎｉ−Ｉｎ系合金、Ｌａ−Ｎｉ−Ｓｎ系合金、Ｌａ−Ｎｉ−Ｇａ系合金、Ｌａ−Ｎｉ−Ｓｉ系合金、Ｌａ−Ｎｉ−Ｇｅ系合金、Ｌａ−Ｎｉ−Ａｌ−Ｃｏ系合金、Ｌａ−Ｎｉ−Ａｌ−Ｍｎ系合金、Ｌａ−Ｎｉ−Ａｌ−Ｃｒ系合金、Ｌａ−Ｎｉ−Ａｌ−Ｃｕ系合金、Ｌａ−Ｎｉ−Ａｌ−Ｓｉ系合金、Ｌａ−Ｎｉ−Ａｌ−Ｔｉ系合金、Ｌａ−Ｎｉ−Ａｌ−Ｚｒ系合金、Ｌａ−Ｎｉ−Ｍｎ−Ｚｒ系合金、Ｌａ−Ｎｉ−Ｍｎ−Ｔｉ系合金、Ｌａ−Ｎｉ−Ｍｎ−Ｖ系合金、Ｌａ−Ｎｉ−Ｃｒ−Ｍｎ系合金、Ｌａ−Ｎｉ−Ｃｒ−Ｚｒ系合金、Ｌａ−Ｎｉ−Ｆｅ−Ｚｒ系合金、Ｌａ−Ｎｉ−Ｃｕ−Ｚｒ系合金、並びに、上記合金中のＬａ元素をミッシュメタルで置き換えた合金、また、Ｔｉ−Ｚｒ−Ｍｎ−Ｍｏ系合金やＺｒ−Ｆｅ−Ｍｎ系合金、Ｍｇ−Ｎｉ系合金等のＴｉ、Ｆｅ、Ｍｎ、Ａｌ、Ｃｅ、Ｃａ、Ｍｇ、Ｚｒ、Ｎｂ、Ｖ、Ｃｏ、Ｎｉ、Ｃｒ元素の２組以上の組合せからなる合金等の水素吸蔵合金、Ｔｉ、Ｖ、Ｚｒ、Ｌａ、Ｐｄ、Ｐｔ等の水素化物を形成する（水素吸蔵性を有する）金属、或いは、これら合金や金属の水素化物（水素を吸蔵した物質）で構成される。
【００３２】
水溶液からなる電解質で満たされた電解質領域５が光触媒層７、正極層８及び光触媒層３、プロトン伝導体１２に接するように形成されている。電解質は負極活物質である水素の酸化還元反応に関与するレドックスを含んでいる。電解質は、塩基や中性の水溶液電解質で構成される。電解質は液状であるほかペースト状であってもよい。
【００３３】
レドックスとしては、特に限定されるものではないが、例えば、Ｉ３−／Ｉ−、Ｉ−／ＩＯ３−、Ｂｒ３−／Ｂｒ−、ＮＯ２／ＮＯ等がある。Ｉ３−／Ｉ−は、電解液に、ヨウ素の水溶液とヨウ化物とを所定の割合で添加することによって調製ができる。ヨウ化物としては、例えば、ヨウ化ナトリウム、ヨウ化カリウム、ヨウ化カルシウム、ヨウ化リチウム等がある。
【００３４】
既述のセパレータ１０は電解質５を正極領域と負極領域に分離するものであって、かつ、酸素透過の抑止膜、そして、プロトン（Ｈ＋）やレドックスの正極領域と負極領域間での拡散を妨げないものであればよい。このセパレータとしては、ガラス繊維やポリアミド系繊維不織布、ポリオレフィン系繊維不織布、ポリプロピレン、ポリエチレン、セラミック膜、イオン交換膜、セルロース膜、合成樹脂等から構成される。
【００３５】
光触媒層３は、例えば、プロトン伝導体と負極用光触媒とからなる。図２の２−１，２−２にこの構成例を示す。２−１は、プロトン伝導体１０２が、凝集した負極用光触媒１００を包含したものであり、個々の負極光触媒１００がプロトン伝導体１０２内部で互いに接触した構造になっている。２-２は、負極用光触媒１００が柱状になってプロトン伝導体１０２内に構成されている。可視光は、プロトン伝導体１０２表面に露出している負極用光触媒１００に入射されるか、プロトン伝導体１０２を通過して内部の光触媒に到達する。２−１、２−２ともに、光触媒層は電解質５と水素吸蔵合金４に接したものになっている。水素吸蔵合金４と光触媒層３とは接合されている。
【００３６】
光触媒層３のn型半導体の伝導帯の下端はH＋／H2の酸化還元電位よりも高いため、水素吸蔵合金と半導体を接合するとショットキー型のポテンシャル障壁を形成し、整流作用をもたらす。これは水素吸蔵合金に移動した電子が半導体に戻ることを防ぐ。
【００３７】
光触媒による酸化還元作用を促進させるためには、ｎ型半導体を含んだプロトン伝導体３は負極層４の可視光、近赤外光を受光する面に配置される必要があるが、他の密閉部材はプロトン伝導体のみの層１２、もしくは絶縁層でもよい。
【００３８】
図２の２−１の構造のように光触媒を包含したプロトン伝導体３は、水素吸蔵合金４から電解質５への電子放出を防ぎ、陰イオンレドックスが水素吸蔵合金に接することを防ぎ、プロトンが透過でき、電子の整流作用を持つ。電解質に接触した負極用光触媒によってレドックスを酸化することが可能である。
【００３９】
既述のように、図１の電池には、外気と酸素の交換を可能にするために、空気孔１０があるため、電池内圧は大気圧に等しくなっている。したがって、充電により負極中に生成した水素化物（吸蔵水素）の解離による放電容量の低下を防ぐには、負極層は、水素の平衡水素圧が１気圧以下の材料で構成することが望ましいところであるが、既述のように、負極層４は負極用光触媒層３とプロトン伝導体１２とによって電解質と直接接触しないよう電解質から密閉されているために、後述の電解水素チャージの手法と組み合わせて、水素の平衡水素圧が１気圧以上の材料を使用することもできる。
【００４０】
符号９は電解質５が開口部１０から漏洩することを抑制する撥水膜である。撥水膜は電池ケース底面の内側の少なくとも正極領域に積層されている。充電時に正極側電解質領域において発生した酸素は、撥水膜９を介して開口部１０から電池外に排出される。放電時に正極領域で必要な酸素は開口部１０から撥水膜９を介して正極側電解質領域に取り込まれる。
【００４１】
正極用光触媒７は、伝導帯の下端が電解質のレドックス電位以上であり、価電子帯の上端がＯ2／Ｈ2Ｏの酸化還元電位よりも低く、負極用光触媒３は、伝導帯の下端がH＋／H2の酸化還元電位以上かつ水素ガスの生成電位以下（過電圧を含めた水の電解エネルギーは１．５〜２．０eV程度）であり、価電子帯の上端が電解質のレドックス電位以下である材料から構成されている。
【００４２】
光触媒材料としては、例えば、第１群（Ｔｉ、Ｔａ、Ｚｒ，Ｎｂ、Ｖ、Ｗ、Ｚｎ、Ｃｄ、Ｇａ、Ｉｎ、Ｓｎ，Ｂｉ）から選ばれる少なくとも一つ元素の酸化物であり、第２群（Ｃｒ、Ｒｕ、Ｂｉ，Ｃｕ、Ｍｎ、Ｍｏ、Ｗ、Ｆｅ、Ｃｏ、Ｃｄ、Ｐｔ、Ｒｈ、Ｐｄ、Ａｕ、Ａｇ）から選ばれる少なくとも一つの元素をドーピングしたものがある。組成やドーピング元素の含有量を変更することによって、エネルギー準位が調整されているものも含まれる。
【００４３】
正極用光触媒表面の一部には金属微粒子３０が担持されることが好ましい。可視光１によって励起された励起電子よりもエネルギー準位が低い金属が光触媒に担持されていると、励起電子は金属の方に移動するため（３２）、正孔（ｈ+）との再結合（逆反応）の割合を減らすことができる。
【００４４】
プロトン伝導体１２を通過して負極の水素吸蔵合金の表面にある水素イオンを水素吸蔵合金に吸蔵させるために、電解水素チャージを適用することができる。電解水素チャージでは、水素圧Ｐが下記数１のように規定される。光触媒によって２段階励起される電子のエネルギーを水分解の理論分解エネルギー（約１．２３eV）以上、水素イオンが水素ガス化する臨界エネルギー（１．５〜２．０eV程度）以下に設定することによって、水素吸蔵合金の表面にある水素イオンが水素吸蔵合金に吸蔵されるための水素圧を高くすることができる。下記数１で表されるように、理論的には、無限にプロトンが供給される場合、過電圧の増加とともに水素圧が指数関数的に上昇する。この式に従えば、過電圧が０．０５Ｖ、温度が２５℃の場合、水素圧は４．９［ＭＰａ］となる。
【００４５】
【数１】
2014116212.tif 000003
【００４６】
電解水素チャージによって吸蔵された水素を水素合金内へ保つために、水素極光触媒と水素吸蔵合金の界面を接合し、既述のショットキー型のポテンシャル障壁がH＋／H2の酸化還元電位以上の高さを持つ必要がある。
【００４７】
前記１２、１０２のプロトン伝導体としては、陰イオンや電子に対し絶縁性を持ち、可視光を透過し、プロトンが移動可能であり、光触媒の酸化還元作用に対する耐久性を持つものが好ましい。材質としては、有機電解質、ポリマー電解質或いは無機電解質等を用いることができる。
【００４８】
レドックスとしてＩ−／ＩＯ３−、Ｉ−／ＩＯ４−、Ｉ−／Ｉ３−等の陰イオンの組み合わせを用いる場合、このレドックスを通さない膜として、例えば、デュポン社のナフィオン膜，旭化成のアシプレックス膜，旭硝子のフレミオン膜等のパーフルオロスルホン酸系のカチオン透過膜等を用いることができる。
【００４９】
次に、電池の動作について説明する。先ず、充電時の動作について説明する。可視光が平面２の受光部から電池内に入射されると、正極側光触媒層７の光励起反応によって生じたホール（正孔）が水を酸化して、酸素と水素イオンを生成し、励起した電子がレドックスを還元する。
【００５０】
正極用光触媒（可視光）→４ｈ＋（正孔）+４ｅ−（電子）
２Ｈ2Ｏ＋４ｈ＋→Ｏ2＋４Ｈ+
Ｒｅｄ（レドックス）+ｅ-→Ｒｅｄ−
【００５１】
Ｏ2は開口部１０から電池外に排出される。正極領域と負極領域との間にはセパレータ（酸素透過抑止膜）１１があるため、Ｏ2は負極側に移動しない。
【００５２】
水素イオンと、還元されたレドックスはセパレータ１１を通過して負極領域に拡散する。還元されたレドックスは、負極用光触媒層３まで到達し、一方、水素イオンは光触媒層３のプロトン伝導体、プロトン伝導体１２を通過して負極層（水素吸蔵合金）４に到達する。
【００５３】
負極用光触媒が可視光によって光励起されると、生じた正孔が還元されたレドックスを酸化する。一方、励起された電子は負極層表面近傍の水素イオンと反応し、これを還元して水素化物を発生させる。その結果、水素が水素吸蔵合金内に吸蔵されたことになり充電状態になる。
【００５４】
電子の移動度は、一般に、電解質よりも金属のほうが高いために、負極用光触媒で励起された電子のうち、レドックスに移動してこれを再度還元する逆反応の起こる割合は、水素吸蔵合金に移動する割合よりも格段に少ない。酸化されたレドックスは、セパレータ１１を越えて正極領域に拡散する。レドックスは酸化と還元を繰り返しながら、正極領域と負極領域間を往復する。
【００５５】
負極４は光触媒層３と１２のプロトン伝導体によって電解質５から分離されているために、水素吸蔵合金と電解質が直に接触しない。そのため、水素化物生成に用いられた励起電子が、正孔によって酸化されたレドックスを再度還元する逆反応が防がれるようにしている。
【００５６】
水素吸蔵合金表面のエネルギー準位が光触媒層３での伝導帯の下端のエネルギー準位より低ければ、金属-半導体接合であるため、ショットキー障壁を作る。これは整流作用をもたらし、水素吸蔵合金内の電子が光触媒に戻ることを防ぐ。
【００５７】
水素吸蔵合金表面と光触媒表面によって作られるショットキー障壁は、水素吸蔵合金内の電子を閉じ込める。この障壁のエネルギーを数式１のΔφに代入することよって、水素圧に換算できる。すなわち、電子を蓄積して逃がさない構造にすることにより、平衡大気圧以上の水素を蓄えることが可能になる。したがって、平衡水素圧が１気圧以上の材料による充電が可能になる。
【００５８】
次に放電時の動作について説明する。外部回路によって、負極４から正極８に向かって電子が流れ、負極４では水素吸蔵合金から水素イオンが解離される。解離した水素イオンは光触媒層３，１２のプロトン伝導体を透過し、電解質５内を拡散し、セパレータ１１を介して正極８側に到達する。正極側の水素イオンは、外部回路を介して負極から移動してきた電子と電池外から開口部と介して取り込まれた酸素と反応して、水に戻る。開口部１０が存在しないと、電池内に酸素を取り込むことができず、電池容量が低下する。
水素イオンは正極で消費されて、電池は充電前の初期状態に戻る。
【００５９】
以上説明したように、既述の電池によれば、次の効果がある。負極側光触媒で励起される電子のエネルギーが水素ガス生成電位以下ならば、水素ガスは生成せず、電解水素チャージによって水素充電が行われ、さらにショットキー型のポテンシャル障壁を用いることによって、暗時でも水素を水素吸蔵合金内に保持することができる。
【００６０】
従来のように光触媒の１段反応のみを用いる電池では、同じ材料の表面上で酸素生成と水素イオン生成が起こるため、再結合して水に戻る逆反応が起こり得る。本発明によれば、２段階の光触媒反応に分けられるため、酸素が生成する反応場と水素イオン吸着が行われる反応場を分けることができ、逆反応の割合を減らすことができる。従来では、電極と光触媒（半導体）を接着することが出来なかったが、本願発明では、酸素生成と水素吸着の反応場が分離されているために、正極に光触媒を一体にすることができる。
【００６１】
水素化空気電池に必要な電位差は、特許文献３のように水分解を目的とした電位差（１．５〜２．０V程度）よりも低い。そのため、２段階反応における光触媒材料の組み合わせとして、よりバンドギャップが狭く、太陽光変換効率の高い材料を利用することができると期待できる。
【００６２】
なお、充電時には、正極・負極側で生成した各イオンが拡散によって、お互いの極に到達する必要があるため、正極と負極の構造を細かくして近づけ、特開２０００−１７３６７９のように、この構造を周期的に複数持つ、くし型電極を用いてもよい。
【００６３】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範囲内において、各種の変更例または修正例に想到し得ることは明らかであり、これらについても、当然に本発明の技術的範囲に属するものである。
【符号の説明】
【００６４】
１  太陽光（可視光）
２  電池ケース平面（受光部）
３  負極用光触媒層
４  負極層（水素吸蔵合金）
５  レドックス電解質、
６  電池ケース底面
７  正極用光触媒層
８  正極
９  撥水膜
１０  開口部
１１  セパレータ
１２  プロトン伝導体
【図１】
2014116212.tif 000004
【図２】
2014116212.tif 000005